【事件の表示】
　特願２０１５−２４４９６４号「遊技機」拒絶査定不服審判事件〔平成２９年６月２２日出願公開、特開２０１７−１０８８８２号〕について、次のとおり審決する。
【結　論】
　本件審判の請求は、成り立たない。
【理　由】
第１　手続の経緯
　本願は、平成２７年１２月１６日の出願であって、平成２８年１１月９日付けで拒絶の理由が通知され、同年１２月１５日に意見書及び手続補正書が提出されたところ、平成２９年５月２３日付けで拒絶査定（以下「原査定」という。）がなされ、それに対して、同年８月２３日に拒絶査定不服審判の請求がなされ、これに対し、当審において、平成３０年４月２３日付けで拒絶の理由が通知され、同年６月１９日に意見書及び手続補正書が提出され、同年８月２０日付けで最後の拒絶の理由が通知され、同年１０月１８日に意見書及び手続補正書が提出されたものである。
第２　平成３０年１０月１８日付けの手続補正についての補正の却下の決定
［補正の却下の決定の結論］
　平成３０年１０月１８日付けの手続補正（以下「本件補正」という。）を却下する。
［理由］
１　補正の内容
　本件補正は、特許請求の範囲を補正する内容を含んでおり、本件補正により、本件補正前の平成３０年６月１９日付けの手続補正書における特許請求の範囲の請求項１が、
「【請求項１】
　取得条件の成立により判定情報を取得する判定情報取得手段と、
　前記判定情報に基づき遊技者に有利な特別遊技を行うか否かの特別遊技判定を行う特別遊技判定手段と、
　前記判定情報に対して前記特別遊技判定が行われる前に、前記特別遊技を行うか否かの事前判定を行う事前判定手段と、
　前記特別遊技判定が行われると、図柄を図柄表示手段にて変動表示させ、前記特別遊技判定の結果を示す態様で停止表示させる図柄表示制御手段と、
　前記判定情報を所定数を上限として記憶可能な記憶手段と、
　前記判定情報が前記記憶手段に記憶されていることを示す保留表示を所定の保留表示領域にて行う演出を含む、所定の演出を行う演出実行手段と、を備え、
　前記保留表示領域は前記所定数分の複数の保留表示領域を含み、前記保留表示は前記記憶手段に記憶された前記判定情報ごとに行われ、
　前記保留表示が行われる各保留表示領域内の表示の態様として、通常表示態様と特殊表示態様とがあり、
　前記演出実行手段は、前記事前判定の結果に基づき、前記図柄の複数回の変動期間に跨って行われる所定の特殊演出を実行することが可能であって、複数の判定情報が記憶されているときに前記特殊演出を実行する際、前記複数の判定情報に含まれる２以上の判定情報についての前記保留表示が行われる２以上の保留表示領域内の表示の態様を、全て前記特殊表示態様とすることが可能である
ことを特徴とする遊技機。」
から、本件補正後の請求項１として、
「【請求項１】
Ａ　取得条件の成立により判定情報を取得する判定情報取得手段と、
Ｂ　前記判定情報に基づき遊技者に有利な特別遊技を行うか否かの特別遊技判定を行う特別遊技判定手段と、
Ｃ　前記判定情報に対して前記特別遊技判定が行われる前に、前記特別遊技を行うか否かの事前判定を行う事前判定手段と、
Ｄ　前記特別遊技判定が行われると、図柄を図柄表示手段にて変動表示させ、前記特別遊技判定の結果を示す態様で停止表示させる図柄表示制御手段と、
Ｅ　前記判定情報を所定数を上限として記憶可能な記憶手段と、
Ｆ　前記判定情報が前記記憶手段に記憶されていることを示す保留表示を所定の保留表示領域にて行う演出を含む、所定の演出を行う演出実行手段と、を備え、
Ｇ　前記保留表示領域は前記所定数分の複数の保留表示領域を含み、前記保留表示は前記記憶手段に記憶された前記判定情報ごとに行われ、
前記複数の保留表示領域は第１、第２及び第３保留表示領域を含み、
Ｈ　前記保留表示が行われる各保留表示領域内の表示の態様として、通常表示態様と特殊表示態様とがあり、
Ｉ　前記演出実行手段は、
前記判定情報の１つである対象判定情報に対する
前記対象判定情報と前記対象判定情報よりも先に前記判定情報取得手段にて取得された先行判定情報とが前記記憶手段に
前記先行判定情報についての前記保留表示が行われる前記第１保留表示領域内の表示の態様及び前記対象判定情報についての前記保留表示が行われる前記第２保留表示領域内の表示の態様を
一方で、前記第３保留表示領域内の表示の態様を前記通常表示態様
に補正された（下線は、補正箇所を明示するために当審にて付した。また、当審においてＡ〜Ｉに分説した。）。
２　補正の適否
　本件補正は、補正前の請求項１に記載した発明を特定するために必要な事項である「複数の保留表示領域」に関して、「第１、第２及び第３保留表示領域を含」むことを限定するとともに、「演出実行手段」に関して、特殊演出を実行する際に行われる事前判定の対象を「前記判定情報の１つである対象判定情報」に限定するとともに、特殊演出を実行する際に記憶されている複数の判定情報を「前記対象判定情報と前記対象判定情報よりも先に前記判定情報取得手段にて取得された先行判定情報」に限定するとともに、特殊演出を実行する際に全て特殊表示態様とする複数の判定情報に含まれる２以上の判定情報についての保留表示が行われる２以上の保留表示領域を「前記先行判定情報についての前記保留表示が行われる前記第１保留表示領域及び前記対象判定情報についての前記保留表示が行われる前記第２保留表示領域」に限定するとともに、特殊演出を実行する際に所定の保留表示領域内の表示の態様を特殊表示態様とする一方で、「前記第３保留表示領域内の表示の態様を前記通常表示態様とする」ことを限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、願書に最初に添付された特許請求の範囲、明細書及び図面の段落【０２２８】〜【０２３２】、図３６、図３７等の記載に基づいており、新規事項を追加するものではなく、特許法第１７条の２第３項に規定する要件を満たすものである。
３　独立特許要件
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
（１）引用例
ア　引用例の記載事項
　平成３０年８月２０日付け拒絶理由通知に引用文献１として引用された特開２０１０−１５５０２６号公報（以下「引用例」という。）には、図面とともに以下の（１−１）〜（１−１０）の事項が記載されている。
（１−１）「【００３２】
　「大当たり」の場合に「長当たり」が設定されると、その大入賞口開放遊技では、役物２３が大入賞口２２を開放する１回当たりの開放時間が比較的長い時間（例えば３０秒など）に設定される。そして「長当たり」の大入賞口開放遊技では、その１回当たりの開放設定時間が経過するか或いは開放中に所定球数（例えば９個）の入球がカウントされれば大入賞口２２を閉鎖するラウンドが所定回数（例えば１５ラウンド）繰り返される。そのため、
この「長当たり」の大入賞口開放遊技では、役物２３が大入賞口２２を開放している間に遊技球が大入賞口２２に入球する可能性が高くなり、遊技者にとって多くの賞球を獲得し得る遊技状態となる。
（１−２）「【００５４】
　
遊技データ取得部１１１は、第１始動口スイッチ４１又は第２始動口スイッチ４２が遊技球の入球を検知した場合、乱数格納領域１０３ａにおいて逐次更新されている大当たり乱数ＲＮ１、図柄乱数ＲＮ２およびリーチ乱数ＲＮ３を遊技データとして取得する処理部である。
（１−３）「【００６５】
　特別図柄変動処理部１１５は、変動表保留部１１２による保留を消化して特別図柄の変動表示を行う処理部である。
特別図柄変動処理部１１５は、第１変動表示保留記憶部１０４の保留を読み出して特別図柄の変動表示を行う場合は、第１特別図柄表示器６３において変動表示を行う。
この特別図柄変動処理部１１５は、保留記憶領域１０３ｂに格納された遊技データを読み出して大当たり判定を行い、当選していればその当たりの種類に応じた特別図柄で変動表示を停止させる。この停止図柄の決定は、図８（ｂ−１）〜（ｂ−３）に示したテーブルに基づいて行われる。またハズレの場合はハズレ図柄で変動表示を停止させる。
（１−４）「【００７１】
　
また本実施形態１の遊技機１は、
そして演出制御基板１３０は、メイン制御基板１００と同様にして保留数を管理すると共に、メイン制御基板１００から取得する遊技データの事前判定を行う。そしてその事前判定の結果に基づいて、保留数分に対応した複数回の特別図柄の変動表示にわたって連続的に行われる演出であって、特別図柄の変動表示が行われる度に段階的にステップアップしていくステップアップ連続演出を設定するように構成される。このステップアップ連続演出は、例えば第１始動口１９に入球したことによって行われる事前判定において当選した場合、当該入球に基づく特別図柄の変動表示が消化されるまでの間に、それ以前に消化される特別図柄の変動表示を含み、複数回の特別図柄の変動表示にわたって連続的に、且つ段階的にステップアップしていく演出である。
（１−５）「【００８５】
　
ステップＳ５０４とステップＳ５０７のいずれか一方で遊技データの読み出した行われた場合、大当たり判定処理（ステップＳ５０９）と変動パターン選択処理（ステップＳ５１０）とを順に実行する。
【００８６】
　
そして遊技制御部１１０は、大当たり判定処理および変動パターン選択処理で決定された設定情報を含んだ変動開始コマンドを生成し、ＲＡＭ１０３にセットする（ステップＳ５１１）。そしてこの設定情報に基づき、第１特別図柄表示器６３又は第２特別図柄表示器６５における特別図柄の変動表示を開始する（ステップＳ５１２）。
（１−６）「【００９６】
　そして遊技制御部１１０が、大当たり開始コマンドをＲＡＭ１０３にセットして（ステップＳ５８５）、大当たりの動作制御を開始する（ステップＳ５８６）。
これにより、遊技機１は大当たり中となって大入賞口開放遊技に移行し、所定のオープニングが行われた後、役物２３がＲＡＭ１０３にセットされた大当たりに種類に対応した開放パターンに基づいて大入賞口２２を所定ラウンド数だけ開閉するようになる。
（１−７）「【０１１５】
　図２６は、演出制御基板１３０における保留記憶領域１３３ａの一構成例を示す図である。図２６に示すように、演出制御基板１３０における保留記憶領域１３３ａは、メイン制御基板１００における保留記憶領域１０３ｂ（図９参照）とほぼ同様の構成となっている。すなわち、
第１変動表示保留記憶部２１１は、図２６（ａ）に示すように、第１記憶領域２１１ａ、第２記憶領域２１１ｂ、第３記憶領域２１１ｃおよび第４記憶領域２１１ｄを備えている。それぞれの記憶領域２１１ａ〜２１１ｄには、第１始動口１９に遊技球が入球して取得された遊技データが格納される。つまり、第１始動口１９に遊技球が入球して遊技データが取得された順に、第１記憶領域２１１ａから第４記憶領域２１１ｄまで順次遊技データが格納されていく。
・・・
【０１１７】
　
事前判定部２０３は、メイン制御基板１００から遊技データを受信したタイミングで、その受信した遊技データの事前判定を行う処理部である。つまり、事前判定部２０３は、第１始動口１９又は第２始動口２１に遊技球が入球した場合、当該入球に基づく特別図柄の変動表示が開始される前に、当該入球を契機として、メイン制御基板１００で取得された遊技データの事前判定を行う。
【０１１８】
　連続演出設定部２０４は、事前判定部２０３における事前判定結果に基づいてステップアップ連続演出を設定する処理部である。すなわち、メイン制御基板１００から遊技データを受信したタイミングで行われる事前判定に当選した場合、その受信した遊技データに基づく特別図柄の変動表示が実行されるまでに消化される保留数Ｎ（ただし、Ｎはその受信した遊技データに基づく保留を含む）に基づいて、Ｎ回の特別図柄の変動表示にわたって段階的にステップアップしていくステップアップ連続演出を設定する。
例えば、第１変動表示保留記憶部２１１に３つの保留が記憶されており、第２変動表示保留記憶部２１２に保留が記憶されていない状態で、更に第１始動口１９に入球したことに伴う遊技データを受信して事前判定に当選した場合、保留数は「４」となるので、連続演出設定部２０４は、４回の特別図柄の変動表示にわたって４段階でステップアップしていくステップアップ連続演出を設定する。
（１−８）「【０１４４】
　
第１始動口１９に入球した遊技データである場合（ステップＳ１２０１でＹＥＳ）、事前判定部２０３は、当該保留（すなわち、その受信した遊技データ）がリーチ又は大当たりのいずれかに当選しているか否かを判断する（ステップＳ１２０２）。
（１−９）「【０１５４】
　次にＣＰＵ１３１は、メイン制御基板１００から受信した遊技データが第１始動口１９に入球したものであるか否かを判断する（ステップＳ１４０６）。この判断は、受信した遊技データに含まれる入球始動口に関する情報に基づいて行われる。そして第１始動口１９に入球した遊技データでない場合（ステップＳ１４０６でＮＯ）、この処理は終了する。これに対し、
第１始動口１９に入球した遊技データである場合（ステップＳ１４０６でＹＥＳ）、ＣＰＵ１３１は次に、当該保留（すなわち、受信した遊技データに基づく保留）が事前判定に当選したか否かを判断する（ステップＳ１４０７）。ここでの判断は、当該保留が格納された記憶領域の事前判定結果記憶領域を確認することにより行われる。そして当該保留が事前判定に当選した場合には、ステップアップ連続演出の再設定は行う必要がないので処理を終了する。これに対し、当該保留が事前判定に当選していない場合は、既にステップアップ連続演出が設定されているか否かを判断する（ステップＳ１４０８）。ここでステップアップ連続演出が設定されていなければ（ステップＳ１４０８でＮＯ）、ステップアップ連続演出の再設定は行う必要がないので処理は終了する。一方、既にステップアップ連続演出が設定されている場合（ステップＳ１４０８でＹＥＳ）、ＣＰＵ１３１は既に事前判定に当選している保留を特定し、その保留が「大当たり」であるか否かを判定する（ステップＳ１４０９）。事前判定に当選した保留が「大当たり」である場合（ステップＳ１４０９でＹＥＳ）、ステップアップ連続演出を継続させる必要はないため、処理は終了する。一方、事前判定に当選した保留が「大当たり」でない場合（ステップＳ１４０９でＮＯ）、ＣＰＵ１３１は、事前判定に当選した保留消化後もステップアップ連続演出を継続させるべく、連続演出延長設定処理（ステップＳ１４１０）を実行する。
（１−１０）「【０１６４】
　
次に図３４は、連続演出延長設定処理（図３１のステップＳ１４１０）の詳細を示すフローチャートである。第１始動口１９に遊技球が入球した時点で、既にステップアップ連続演出が設定されており、且つ、事前判定に当選した保留が「大当たり」でない場合に、この処理が開始される。この処理ではまず、事前判定に当選した保留に設定されている最終ステップの段階を取得し、その最終ステップの段階が上限値（本実施形態では第６段階）となっているか否かを判断する（ステップＳ１４７１）。そして最終ステップの段階が既に上限値として設定されていれば（ステップＳ１４７１でＹＥＳ）、この処理は終了する。一方、最終ステップの段階が上限値でない場合（ステップＳ１４７１でＮＯ）、ＣＰＵ１３１は、第１始動口１９への当該入球に基づく特別図柄の変動表示時の演出として、最終ステップに続くステップアップ連続演出を追加設定する（ステップＳ１４７２）。
（１−１１）「【０１７８】
　
以上のような演出制御基板１３０の動作により、遊技機１において種々の演出が行われる。
・・・
【０１８０】
　
このような画像表示器８において、装飾図柄８１，８２，８３が表示される装飾図柄表示領域の下方に、第１変動表示保留記憶部２１１の保留を表示する第１保留表示部８４が設けられている。第１保留表示部８４は、４つの保留表示部８４ａ，８４ｂ，８４ｃ，８４ｄを有しており、第１変動表示保留記憶部２１１に１個の保留がある場合は保留表示部８４ａのみが点灯し、２個の保留がある場合は保留表示部８４ａと８４ｂとが点灯し、３個の保留がある場合は保留表示部８４ａと８４ｂと８４ｃとが点灯し、４個の保留がある場合は全ての保留表示部８４ａ，８４ｂ，８４ｃ，８４ｄが点灯する。
・・・
【０１８２】
　そして図３８（ａ）に示すように、ステップアップ連続演出が設定されていない場合、第１保留表示部８４および第２保留表示部８５の保留表示の態様は、通常の表示態様であるランプ状の表示態様となっている。
【０１８３】
　
一方、例えば第１変動表示保留記憶部２１１に４つ目の保留が記憶されたタイミングで事前判定に当選し、ステップアップ連続演出が設定された場合、演出制御基板１３０より保留表示に関する連続演出表示コマンドが出力されるので、画像表示器８における保留表示は図３８（ｂ）に示すように切り替わる。
【０１８４】
　
図３８（ｂ）に示すように、ステップアップ連続演出が設定されると、ステップアップ連続演出が実行される保留表示が段階的にステップアップしていく表示態様に変化する。図例の場合、第１変動表示保留記憶部２１１の第１保留に対応する保留表示部８４ａには「たまご」の画像が表示され、第２保留に対応する保留表示部８４ｂには「ひよこ」の画像が表示される。また第３保留に対応する保留表示部８４ｃには「にわとり小」の画像が表示され、第４保留に対応する保留表示部８４ｄには「にわとり大」の画像が表示される。つまり、特別図柄の変動表示待ちの保留が４つある場合にステップアップ連続演出が設定されると、それら４つの保留に対して４段階のステップアップ連続演出を予告するための保留表示が行われる。したがって、画像表示器８の保留表示が通常の表示態様から段階的な表示態様に変化すると、遊技者はステップアップ連続演出が行われることを把握することができる。またステップアップ連続演出の最終ステップが行われる保留についても画像表示器８の表示態様から把握することができる。
（１−１２）「【０２０８】
　次に、第２の演出態様として、
ステップアップ連続演出が設定された後、第１始動口１９に遊技球が入球する場合の演出態様を例示する。
【０２０９】
　図４９（ａ）に示すように、画像表示器８における装飾図柄８１，８２，８３の変動表示中において、第１変動表示保留記憶部２１１に４つ目の保留が記憶され、その４つ目の保留が事前判定に当選すると、第１保留表示部８４における４つの保留表示がそれぞれ「たまご」、「ひよこ」、「にわとり小」、「にわとり大」の４段階の表示に切り替わる。尚、ここでは、事前判定に当選した４つ目の保留は、「大当たり」に当選していないとする。この状態で、ステップアップ連続演出が開始すると、第１変動表示保留記憶部２１１の保留消化に伴い画像表示器８において、上述した第１の演出態様と同様に、ステップアップ連続演出の各段階の演出が行われる。
【０２１０】
　
この第２段階の演出が行われたときの特別図柄の変動表示中に、第１始動口１９に対して２個の遊技球が連続して入球した場合、事前判定に当選した保留（保留表示部８４ｂ）は「大当たり」ではないので、第１始動口１９に遊技球が入球することにより、当該入球に基づく特別図柄の変動表示における演出として、ステップアップ連続演出の最終ステップに続く連続演出が追加設定される。そのため、図４９（ｃ）に示すように、事前判定に当選した保留の第４段階に対応した「にわとり大」の保留表示部８４ｂに続き、３つ目の保留の保留表示部８４ｃには第５段階を示す「にわとり尾黒」の画像による保留表示が行われ、４つ目の保留の保留表示部８４ｄには第６段階を示す「にわとり首黒」の画像による保留表示が行われる。
【０２１１】
　そして次の特別図柄の変動表示に移行すると、画像表示器８では、図５０（ａ）に示すように、ステップアップ連続演出の第３段階の演出として「にわとり小」の演出用画像８６が出現し、画面右側から左側に横切っていく。この変動表示は、リーチ演出が行われることなく、ハズレ図柄で停止する。そして更に次の特別図柄の変動表示が行われると、画像表示器８では、図５０（ｂ）に示すように、ステップアップ連続演出の第４段階の演出として「にわとり大」の演出用画像８６が出現し、画面右側から左側に横切っていく。この演出は、事前判定に当選した保留に設定された演出であるため、画像表示器８は装飾図柄８１，８２，８３の変動表示がリーチ演出に移行する。
尚、このとき、第１始動口１９に遊技球が入球すると、ステップアップ連続演出は既に上限値の第６段階まで設定されているので、当該入球に基づく保留にはステップアップ連続演出は設定されず、保留表示部８４ｃの表示態様は通常の表示態様となる。
イ　認定事項
　上記「ア」から、次の（１−ａ）〜（１−ｉ）の事項が認定できる。
（１−ａ）段落【００５４】には、「
遊技データ取得部１１１
第１始動口スイッチ４１
遊技球の入球を検知した場合
遊技データとして取得する
（１−ｂ）段落【００３２】には、「この「長当たり」の
大入賞口開放遊技
遊技者にとって多くの賞球を獲得し得る
特別図柄変動処理部１１５
遊技データを読み出して大当たり判定を行い
当選
大当たり
大入賞口開放遊技に移行
（１−ｃ）段落【００８５】〜【００８６】には、「ステップＳ５０４とステップＳ５０７のいずれか一方で
遊技データの読み出し
大当たり判定処理
遊技制御部１１０
特別図柄の変動表示を開始する
事前判定部２０３
第１始動口１９
遊技球が入球した場合、当該入球に基づく特別図柄の変動表示が開始される前に、当該入球を契機として
取得された遊技データの事前判定を行う。
事前判定部２０３
大当たり
当選しているか否か
（１−ｄ）段落【００６５】には、「
特別図柄変動処理部１１５
第１特別図柄表示器６３において変動表示を行う
大当たり判定を行い
当たりの種類に応じた特別図柄で変動表示を停止
ハズレ図柄で変動表示を停止
（１−ｅ）段落【０１１５】には、「
第１変動表示保留記憶部２１１
遊技データが取得された順に、第１記憶領域２１１ａから第４記憶領域２１１ｄまで順次遊技データが格納
（１−ｆ）段落【０１１５】には、「
第１変動表示保留記憶部２１１
遊技データが格納
保留が記憶
演出制御基板１３０
種々の演出が行われる
第１変動表示保留記憶部２１１の保留を表示する第１保留表示部８４
（１−ｇ）段落【０１８０】には、「このような画像表示器８において、装飾図柄８１，８２，８３が表示される装飾図柄表示領域の下方に、第１変動表示保留記憶部２１１の保留を表示する第１保留表示部８４が設けられている。
第１保留表示部８４は、４つの保留表示部８４ａ，８４ｂ，８４ｃ，８４ｄを有しており、第１変動表示保留記憶部２１１に１個の保留がある場合は保留表示部８４ａのみが点灯し、２個の保留がある場合は保留表示部８４ａと８４ｂとが点灯し、３個の保留がある場合は保留表示部８４ａと８４ｂと８４ｃとが点灯し、４個の保留がある場合は全ての保留表示部８４ａ，８４ｂ，８４ｃ，８４ｄが点灯
第１保留表示部８４における４つの保留表示が
４段階の表示
事前判定に当選した４つ目の保留
（１−ｈ）段落【０１８４】には、「つまり、特別図柄の変動表示待ちの保留が４つある場合にステップアップ連続演出が設定されると、それら４つの保留に対して４段階のステップアップ連続演出を予告するための保留表示が行われる。したがって、画像表示器８の
保留表示が通常の表示態様から段階的な表示態様に変化
（１−ｉ）段落【００７１】には、「また本実施形態１の
遊技機１
演出制御基板１３０
事前判定の結果に基づいて、
４回の特別図柄の変動表示にわたって
ステップアップ連続演出を設定
第１始動口１９に入球
既にステップアップ連続演出が設定されている場合
事前判定に当選した保留が「大当たり」である場合
ステップアップ連続演出を継続させる必要はないため、処理は終了する。一方、事前判定に当選した保留が「大当たり」でない場合
事前判定に当選した保留消化後もステップアップ連続演出を継続させるべく、連続演出延長設定処理
実行
最終ステップに続くステップアップ連続演出を追加設定する
４つ目の保留が記憶されたタイミングで事前判定に当選し、ステップアップ連続演出が設定
ステップアップ連続演出が設定されると、ステップアップ連続演出が実行される保留表示が段階的にステップアップしていく表示態様に変化
保留が４つある場合にステップアップ連続演出が設定
４つの保留に対して４段階のステップアップ連続演出を予告するための保留表示が行われる。
第１保留表示部８４における４つの保留表示
４段階の表示
第５段階を示す
保留表示
第６段階を示す
保留表示
第１始動口１９に遊技球が入球
ステップアップ連続演出は既に上限値の第６段階まで設定されている
入球に基づく保留にはステップアップ連続演出は設定されず、保留表示部８４ｃの表示態様は通常の表示態様
ウ　引用例に記載された発明
　上記（１−１）〜（１−１２）の記載事項及び（１−ａ）〜（１−ｉ）の認定事項を総合すると、引用例には、次の発明が記載されていると認められる（以下「引用発明」という。）。
「ａ　第１始動口スイッチ４１が遊技球の入球を検知した場合に遊技データを取得する遊技データ取得部１１１と、（認定事項１−ａ）
ｂ　遊技データを読み出して、遊技者にとって多くの賞球を獲得し得る大入賞口開放遊技に移行する大当たりに当選したか否かを判定する大当たり判定を行う特別図柄変動処理部１１５と、（認定事項１−ｂ）
ｃ　遊技データを読み出して大当たり判定処理を行って特別図柄の変動表示を開始する遊技制御部１１０と、第１始動口１９に遊技球が入球した場合、当該入球に基づく特別図柄の変動表示が開始される前に、当該入球を契機として取得された遊技データが大当たりに当選したか否かの事前判定を行う事前判定部２０３と、（認定事項１−ｃ）
ｄ　大当たり判定を行って、第１特別図柄表示器６３において特別図柄の変動表示を行うとともに、当たりの種類に応じた特別図柄又はハズレ図柄で変動表示を停止させる特別図柄変動処理部１１５と、（認定事項１−ｄ）
ｅ　取得された遊技データを４つの記憶領域に順次格納する第１変動表示保留記憶部２１１と、（認定事項１−ｅ）
ｆ　遊技データを第１変動表示保留記憶部２１１に保留として記憶し、第１変動表示保留記憶部２１１に記憶された保留を第１保留表示部８４で表示するとともに、種々の演出を行う演出制御基板１３０と、を備え、（認定事項１−ｆ）
ｇ　第１保留表示部８４は、４つの保留表示部８４ａ、８４ｂ、８４ｃ、８４ｄを有しており、第１変動表示保留記憶部２１１の保留の個数と同じになるように保留表示部を点灯して表示するとともに、第１保留表示部８４には、事前判定に当選した４つ目の保留を含む４段階の保留表示が行われ、（認定事項１−ｇ）
ｈ　保留表示の表示態様には、通常の表示態様と、通常の表示態様とは異なった段階的な保留表示の表示態様があり、（認定事項１−ｈ）
ｉ　演出制御基板１３０は、保留の事前判定の結果に基づいて、複数回の特別図柄の変動表示にわたって連続的に行われるステップアップ連続演出を設定し、事前判定に当選した４つ目の保留を含む４つの保留が記憶されているときにステップアップ連続演出を行い、ステップアップ連続演出を行う際には、第１保留表示部８４の事前判定に当選した４つ目の保留を含むステップアップ連続演出が実行される４つの保留に対して４段階のステップアップ連続演出を予告するために４つの保留表示を段階的な保留表示の表示態様に変化させ、既にステップアップ連続演出が設定されている場合に第１始動口１９に入球すると、事前判定に当選した保留が大当たりである場合、ステップアップ連続演出を継続させる必要はないため最終ステップに続くステップアップ連続演出を追加設定する連続演出延長設定処理を実行せずに処理を終了する一方、事前判定に当選した保留が大当たりでない場合事前判定に当選した保留消化後もステップアップ連続演出を継続させるべく、連続演出延長設定処理を実行して、最終ステップに続くステップアップ連続演出を追加設定し第５段階や第６段階を示す保留表示が行われるとともに、第１始動口１９に遊技球が入球してもステップアップ連続演出が上限値の第６段階まで設定されている場合には、入球に基づく保留にはステップアップ連続演出は設定されず、入球に基づく保留の保留表示の表示態様は通常の表示態様となる、遊技機１。（認定事項１−ｉ）」
（２）対比
　本願補正発明と引用発明とを対比する（下記の（ａ）〜（ｉ）は、引用発明の構成に対応している。）。
（ａ）引用発明の「遊技データ取得部１１１」は、「第１始動口スイッチ４１が遊技球の入球を検知した」ことを条件に「遊技データ」を取得するものであるから、引用発明の「遊技データ」、「遊技データ取得部１１１」は、本願発明の「判定情報」、「判定情報取得手段」にそれぞれ相当するといえる。
　してみると、引用発明のａは、本願発明のＡに相当するといえる。
（ｂ）引用発明の「遊技者にとって多くの賞球を獲得し得る大入賞口開放遊技」は遊技者に有利なものであり、このような大入賞口開放遊技に移行する大当たりに当選したか否かを遊技データを読み出して判定する「大当たり判定」は、本願発明の「特別遊技判定」に相当する。よって、引用発明の「特別図柄変動処理部１１５」は、本願発明の「特別遊技判定手段」に相当する。
　してみると、引用発明のｂは、本願発明のＢに相当するといえる。
（ｃ）引用発明においては、特別図柄の変動表示を行う際に遊技データを読み出して大当たり判定処理を行っていることから、引用発明の「特別図柄の変動表示が開始される前」に行う「事前判定」は、遊技データを読み出して大当たり判定が行われる前に行っているものであるといえる。よって、引用発明の「当該入球に基づく特別図柄の変動表示が開始される前に、当該入球を契機として取得された遊技データが大当たりに当選したか否かの事前判定を行う事前判定部２０３」は、本願発明の「前記判定情報に対して前記特別遊技判定が行われる前に、前記特別遊技を行うか否かの事前判定を行う事前判定手段」に相当する。
　してみると、引用発明のｃは、本願発明のＣに相当するといえる。
（ｄ）引用発明の「第１特別図柄表示器６３」は、図柄の変動表示を行うものであるから、本願発明の「図柄表示手段」に相当する。そして、引用発明の第１特別図柄表示器６３において変動表示を行うとともに「当たりの種類に応じた特別図柄又はハズレ図柄で変動表示を停止させる特別図柄変動処理部１１５」は、本願発明の図柄表示手段にて変動表示させ、「前記特別遊技判定の結果を示す態様で停止表示させる図柄表示制御手段」に相当する。
　してみると、引用発明のｄは、本願発明のＤに相当するといえる。
（ｅ）引用発明の「第１変動表示保留記憶部２１１」には４つの記憶領域が設けられており、遊技データを４つを上限として記憶可能であるといえる。
　してみると、引用発明のｅは、本願発明のＥに相当するといえる。
（ｆ）引用発明において「第１変動表示保留記憶部２１１に記憶された保留を第１保留表示部８４で表示する」ことは、本願発明の「前記判定情報が前記記憶手段に記憶されていることを示す保留表示を所定の保留表示領域にて行う」ことに相当する。また、このような保留表示を行うことは演出の一種であるといえるから、保留表示を行うとともに種々の演出を行う「演出制御基板１３０」は、本願発明の「演出実行手段」に相当する。
　してみると、引用発明のｆは、本願発明のＦに相当するといえる。
（ｇ）引用発明の第１保留表示部８４が有する「４つの保留表示部８４ａ、８４ｂ、８４ｃ、８４ｄ」は、本願発明の保留表示領域に含まれる「前記所定数分の複数の保留表示領域」に相当する。そして、引用発明において、第１変動表示保留記憶部２１１の保留の個数と同じになるように保留表示部を点灯して表示することは、４つの保留表示部のそれぞれに対応する保留の有無を示していることから、４つの保留表示部における保留表示は対応するそれぞれの保留毎に行われているといえる。したがって、引用発明の「変動表示保留記憶部２１１の保留の個数と同じになるように保留表示部を点灯して表示」することは、本願発明の「前記保留表示は前記記憶手段に記憶された前記判定情報ごとに行われ」ることに相当する。
　また、引用発明の第１保留表示部８４には事前判定に当選した４つ目の保留の保留表示が行われる表示領域と、１〜３つ目の保留の保留表示部の表示領域とが含まれており、これらは、それぞれ、本願発明の「第２保留表示領域」及び「第１保留表示領域」に相当する。
（ｈ）引用発明の「通常の表示態様」は、本願発明の「通常表示態様」に相当する。そして、引用発明の「通常の表示態様とは異なった段階的な保留表示の表示態様」は通常の表示態様とは異なる特殊な表示態様であるといえるから、引用発明の「通常の表示態様とは異なった段階的な保留表示の表示態様」は、本願発明の「特殊表示態様」に相当する。よって、引用発明の「保留表示の表示態様には、通常の表示態様と、通常の表示態様とは異なった段階的な保留表示の表示態様があ」ることは、本願発明の「前記保留表示が行われる各保留表示領域内の表示の態様として、通常表示態様と特殊表示態様とがあ」ることに相当する。
　してみると、引用発明のｈは、本願発明のＨに相当するといえる。
（ｉ）「保留の事前判定の結果に基づいて、複数回の特別図柄の変動表示にわたって連続的に行われるステップアップ連続演出」は本願発明の「前記判定情報の１つである対象判定情報に対する前記事前判定の結果に基づき、前記図柄の複数回の変動期間に跨って行われる所定の特殊演出」に相当する。
　そして、引用発明の４段階のステップアップ演出が行われる４つの保留のうち「事前判定に当選した４つ目の保留」は本願補正発明の「前記判定情報の１つである対象判定情報」に相当する。さらに、引用発明の４つの保留のうち１〜３つ目の保留は４つめの保留よりも先に取得されたものであるから本願補正発明の「前記対象判定情報と前記対象判定情報よりも先に前記判定情報取得手段にて取得された先行判定情報」に相当する。
　また、引用発明は、ステップアップ連続演出を行う際に、演出が実行される第１保留表示部８４の１〜４つ目の保留の保留表示の４つ全てを４段階のステップアップ連続演出を予告するために段階的な保留表示の表示態様に変化させていることから、ステップアップ連続演出を行う際には、第１保留表示部８４の４つ目の保留の保留表示が行われる表示領域と１〜３つ目の保留の保留表示部の表示領域とを、全て段階的な保留表示の表示態様に変化させているといえる。
　したがって、引用発明の「事前判定に当選した４つ目の保留を含む４つの保留が記憶されているときにステップアップ連続演出を行い、ステップアップ連続演出を行う際には、第１保留表示部８４の事前判定に当選した４つ目の保留を含むステップアップ連続演出が実行される４つの保留に対して４段階のステップアップ連続演出を予告するために４つの保留表示を段階的な保留表示の表示態様に変化させ」ることは、本願補正発明の「前記対象判定情報と前記対象判定情報よりも先に前記判定情報取得手段にて取得された先行判定情報とが前記記憶手段に記憶されているときに前記特殊演出を実行する際、前記先行判定情報についての前記保留表示が行われる前記第１保留表示領域内の表示の態様及び前記対象判定情報についての前記保留表示が行われる前記第２保留表示領域内の表示の態様を全て前記特殊表示態様とする」ことに相当する。
　さらに、引用発明の「遊技機１」は、本願補正発明の「遊技機」に相当する。
　したがって、本願補正発明と引用発明とは、
「Ａ　取得条件の成立により判定情報を取得する判定情報取得手段と、
Ｂ　前記判定情報に基づき遊技者に有利な特別遊技を行うか否かの特別遊技判定を行う特別遊技判定手段と、
Ｃ　前記判定情報に対して前記特別遊技判定が行われる前に、前記特別遊技を行うか否かの事前判定を行う事前判定手段と、
Ｄ　前記特別遊技判定が行われると、図柄を図柄表示手段にて変動表示させ、前記特別遊技判定の結果を示す態様で停止表示させる図柄表示制御手段と、
Ｅ　前記判定情報を所定数を上限として記憶可能な記憶手段と、
Ｆ　前記判定情報が前記記憶手段に記憶されていることを示す保留表示を所定の保留表示領域にて行う演出を含む、所定の演出を行う演出実行手段と、を備え、
Ｇ’　前記保留表示領域は前記所定数分の複数の保留表示領域を含み、前記保留表示は前記記憶手段に記憶された前記判定情報ごとに行われ、前記複数の保留表示領域は第１及び第２保留表示領域を含み、
Ｈ　前記保留表示が行われる各保留表示領域内の表示の態様として、通常表示態様と特殊表示態様とがあり、
Ｉ’　前記演出実行手段は、前記判定情報の１つである対象判定情報に対する前記事前判定の結果に基づき、前記図柄の複数回の変動期間に跨って行われる所定の特殊演出を実行することが可能であって、前記対象判定情報と前記対象判定情報よりも先に前記判定情報取得手段にて取得された先行判定情報とが前記記憶手段に記憶されているときに前記特殊演出を実行する際、前記先行判定情報についての前記保留表示が行われる前記第１保留表示領域内の表示の態様及び前記対象判定情報についての前記保留表示が行われる前記第２保留表示領域内の表示の態様を全て前記特殊表示態様とすることが可能な、遊技機。」
である点で一致し、以下の点で相違する。
［相違点］
　本願補正発明は、複数の保留表示領域に第１及び第２保留表示領域に加えて、第３保留表示領域を含むとともに、特殊演出を実行する際に第１保留表示領域及び第２保留表示領域内の表示の態様を全て特殊表示態様とする一方で、第３保留表示領域内の表示の態様を通常表示態様とするのに対して、引用発明はそのような特定がなされていない点。（構成Ｇ、Ｉ）
（３）判断
ア　相違点についての検討
　引用発明は、ステップアップ連続演出を行う際には、第１保留表示部８４の事前判定に当選した４つ目の保留を含むステップアップ連続演出が実行される４つの保留に対して４段階のステップアップ連続演出を予告するために４つの保留表示を段階的な保留表示の表示態様に変化させ、既にステップアップ連続演出が設定されている場合に第１始動口１９に入球すると、事前判定に当選した保留が大当たりである場合、ステップアップ連続演出を継続させる必要はないため最終ステップに続くステップアップ連続演出を追加設定する連続演出延長設定処理を実行せずに処理を終了する一方、事前判定に当選した保留が大当たりでない場合事前判定に当選した保留消化後もステップアップ連続演出を継続させるべく、連続演出延長設定処理を実行して、最終ステップに続くステップアップ連続演出を追加設定し第５段階や第６段階を示す保留表示が行われるとともに、第１始動口１９に遊技球が入球してもステップアップ連続演出が上限値の第６段階まで設定されている場合には、入球に基づく保留にはステップアップ連続演出は設定されず、入球に基づく保留の保留表示の表示態様は通常の表示態様となるとの構成を含むものである。（構成ｉ）
　そして、引用発明においては、４つの保留表示を段階的な保留表示の表示態様に変化させ、既にステップアップ連続演出が設定されている場合に第１始動口１９に入球すると、事前判定に当選した保留が大当たりである場合、最終ステップに続くステップアップ連続演出を追加設定せずに処理を終了することになるが、その後、入球に基づく保留の保留表示の表示態様がどのような表示態様となるかは明らかではない。
　しかしながら、引用発明における、ステップアップ連続演出が設定された後に第１始動口１９に遊技球が入球してもステップアップ連続演出が既に上限値の第６段階まで設定されている場合には、ステップアップ連続演出を行う保留の後の入球に基づく保留の保留表示の表示態様を通常の表示態様としている点を参酌すれば、ステップアップ連続演出が設定されて第１保留表示部８４の事前判定に当選した保留を含む４つの保留表示を全て段階的な保留表示の表示態様に変化させた後に第１始動口１９に遊技球が入球した際、事前判定に当選した保留が大当たりである場合に、ステップアップ連続演出が設定された４つ目の保留の後の入球に基づく保留の保留表示の表示態様を通常の表示態様とするように構成することは当業者が容易になし得たことである。
　即ち、引用発明において、ステップアップ連続演出の実行の対象となる事前判定に当選した４つ目の保留の保留表示が行われる表示領域（第２保留表示領域）とそれ以前に入球した保留の保留表示が行われる表示領域（第１保留表示領域）の表示態様を全て段階的な保留表示の表示態様（特殊表示態様）で表示する一方で、ステップアップ連続演出が設定された保留の後の入球に基づく保留の保留表示が行われる表示領域（第３保留表示領域）の表示態様を通常の表示態様（通常表示態様）とすることを可能に構成し、上記相違点に係る本願補正発明の構成とすることは、当業者が容易になし得たことである。
イ　本願補正発明が奏する効果について
　上記相違点によって本願補正発明が奏する効果は、当業者が引用発明から予測し得る程度のものであって、格別のものではない。
ウ　請求人の主張について
　請求人は、平成３０年１０月１８日付けの意見書において
「（２−１）
　・本願請求項１に今回導入された特徴ＦＴ“前記対象判定情報と前記対象判定情報よりも先に前記判定情報取得手段にて取得された先行判定情報とが前記記憶手段に記憶されているときに前記特殊演出を実行する際、前記先行判定情報についての前記保留表示が行われる前記第１保留表示領域内の表示の態様及び前記対象判定情報についての前記保留表示が行われる前記第２保留表示領域内の表示の態様を全て前記特殊表示態様とする一方で、前記第３保留表示領域内の表示の態様を前記通常表示態様とすることが可能”は、引用文献１に開示及び示唆されていません。
（２−２）
　・引用文献１の遊技機では、ステップアップ連続演出が実行可能となっており、図４３等に、その演出例が示されています。
　・拒絶理由通知書では、引用文献１のステップアップ連続演出が本願請求項の“特殊演出”に対応付けられ、且つ、引用文献１の「通常の表示態様」（例えば図４０（ａ）の８４ａ）が本願請求項の“通常表示態様”に対応付けられると共に引用文献１の「通常の表示態様とは異なった段階的な保留表示の表示態様」（図３９）が本願請求項の“特殊表示態様”に対応付けられています。
　・引用文献１の図４０（ａ）を起点とする演出例では、図４０（ｃ）等に示されるように、１つの保留表示の表示態様が「通常の表示態様とは異なった段階的な保留表示の表示態様」（図３９）とされるとき、他の全ての保留表示の表示態様も「通常の表示態様とは異なった段階的な保留表示の表示態様」（図３９）とされます。これは、特徴ＦＴによる演出方法とは明確に相違します。」と主張しており（意見書の「（２）本願が特許されるべき理由」参照。）、引用文献１（引用例）に記載の発明は、１つの保留表示の表示態様が通常の表示態様とは異なった段階的な保留表示の表示態様（特殊表示態様）とされるとき、他の全ての保留表示の表示態様も通常の表示態様とは異なった段階的な保留表示の表示態様（特殊表示態様）とされるものであって、本願補正発明のような、先行判定情報についての保留表示が行われる第１保留表示領域及び対象判定情報についての保留表示が行われる第２保留表示領域内の表示の態様を全て前記特殊表示態様とする一方で、第３保留表示領域内の表示の態様を通常表示態様とするものとは異なる旨主張している。
　しかしながら、上記第２の３（２）で検討したとおり、引用発明において、ステップアップ連続演出を行う事前判定に当選した保留の保留表示が行われる表示領域とそれ以前に入球した保留の保留表示が行われる表示領域の表示態様を全て特殊表示態様で表示する一方で、ステップアップ連続演出が設定された保留の後の入球に基づく保留の保留表示が行われる表示領域の表示態様を通常表示態様とすることを可能に構成することは、当業者が容易になし得たものであり、請求人の上記主張は採用できない
　また、請求人は、意見書において、
「（２−３）
　・特徴ＦＴを具備する本願請求項１によれば、いわゆる先読み対象である対象判定情報と、それよりも先に消化される先行判定情報に対応する保留表示の部分を特殊表示態様としつつ、他の保留表示の部分を通常表示態様とすることができますので、何れの保留表示（判定情報）が先読み対象となっているかが遊技者にとって明確となり、分かりやすい演出を提供することができます。分かりやすい演出は遊技者にとって好ましいものと考えられ、以って、遊技の興趣向上が図られます。遊技者にとって明確となった先読み対象の変動に向けて（対象判定情報に対する図柄の変動表示に向けて）遊技者の気分を徐々に盛り上げてゆく効果も促進されます。」との、主張も行っているが（意見書の「（２）本願が特許されるべき理由」参照。）、引用例の段落【０１１８】には、「事前判定に当選した保留に基づく特別図柄の変動表示時には、最終ステップに対応する演出が行われるようにステップアップ連続演出を設定する。これにより、複数回の連続した特別図柄の変動表示にわたって段階的にステップアップしていく演出が行われるようになるので、
遊技者は、特別図柄の変動表示が行われる都度、大当たりへの期待感を徐々に高揚させていくようになる。そしてステップアップ連続演出の最終ステップに対応する演出が行われるときには、遊技者の大当たりへの期待感が最高潮に達する
遊技者はステップアップ連続演出が行われることを把握することができる。またステップアップ連続演出の最終ステップが行われる保留についても画像表示器８の表示態様から把握することができる。
　よって、請求人の上記主張は採用できない。
（４）まとめ
　以上のように、本願補正発明は、当業者が引用発明に基づいて容易に発明をすることができたものであるから、特許法第２９条第２項の規定により、特許出願の際独立して特許を受けることができない。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は、上記のとおり却下されたので、本願の請求項１、２に係る発明は、平成３０年６月１９日付けの手続補正書により補正された特許請求の範囲の請求項１、２に記載されたとおりのものであるところ、請求項１に係る発明（以下「本願発明」という。）は、次のとおりである。
「【請求項１】
Ａ　取得条件の成立により判定情報を取得する判定情報取得手段と、
Ｂ　前記判定情報に基づき遊技者に有利な特別遊技を行うか否かの特別遊技判定を行う特別遊技判定手段と、
Ｃ　前記判定情報に対して前記特別遊技判定が行われる前に、前記特別遊技を行うか否かの事前判定を行う事前判定手段と、
Ｄ　前記特別遊技判定が行われると、図柄を図柄表示手段にて変動表示させ、前記特別遊技判定の結果を示す態様で停止表示させる図柄表示制御手段と、
Ｅ　前記判定情報を所定数を上限として記憶可能な記憶手段と、
Ｆ　前記判定情報が前記記憶手段に記憶されていることを示す保留表示を所定の保留表示領域にて行う演出を含む、所定の演出を行う演出実行手段と、を備え、
Ｇ’　前記保留表示領域は前記所定数分の複数の保留表示領域を含み、前記保留表示は前記記憶手段に記憶された前記判定情報ごとに行われ、
Ｈ　前記保留表示が行われる各保留表示領域内の表示の態様として、通常表示態様と特殊表示態様とがあり、
Ｉ’　前記演出実行手段は、前記事前判定の結果に基づき、前記図柄の複数回の変動期間に跨って行われる所定の特殊演出を実行することが可能であって、複数の判定情報が記憶されているときに前記特殊演出を実行する際、前記複数の判定情報に含まれる２以上の判定情報についての前記保留表示が行われる２以上の保留表示領域内の表示の態様を、全て前記特殊表示態様とすることが可能である
ことを特徴とする遊技機。」（当審においてＡ〜Ｉに分説した。）。
２　原査定の拒絶の理由
　原査定の拒絶の理由は、本願発明は引用例に記載された発明であるから、特許法第２９条第１項第３号に該当し、特許を受けることができない、又は、本願発明は、引用例に記載された発明から、その出願前にその発明の属する技術の分野における通常の知識を有する者が容易に発明をすることができたものであるから、特許法第２９条第２項の規定により特許を受けることができない、というものである。
３　引用例
　原査定の拒絶の理由に引用文献１として引用された引用例の記載事項は、上記第２の３（１）に記載したとおりである。
４　対比・判断
（１）本願発明は、本願補正発明を特定するために必要な事項である「複数の保留表示領域」に関して、「第１、第２及び第３保留表示領域を含」むという限定を省くとともに（構成Ｇ）、「演出実行手段」に関して、特殊演出を実行する際に行われる事前判定の対象が「前記判定情報の１つである対象判定情報」であるとの限定を省き、特殊演出を実行する際に記憶されている複数の判定情報が「前記対象判定情報と前記対象判定情報よりも先に前記判定情報取得手段にて取得された先行判定情報」であるとの限定を省き、特殊演出を実行する際に全て特殊表示態様とする複数の判定情報に含まれる２以上の判定情報についての保留表示が行われる２以上の保留表示領域が「前記先行判定情報についての前記保留表示が行われる前記第１保留表示領域及び前記対象判定情報についての前記保留表示が行われる前記第２保留表示領域」であるとの限定を省き、特殊演出を実行する際に所定の保留表示領域内の表示の態様を特殊表示態様とする一方で、「前記第３保留表示領域内の表示の態様を前記通常表示態様とする」との限定を省いて、「演出実行手段」に関して、「前記事前判定の結果に基づき、前記図柄の複数回の変動期間に跨って行われる所定の特殊演出を実行することが可能であって、複数の判定情報が記憶されているときに前記特殊演出を実行する際、前記複数の判定情報に含まれる２以上の判定情報についての前記保留表示が行われる２以上の保留表示領域内の表示の態様を、全て前記特殊表示態様とすることが可能である」との記載に戻したものである（構成Ｉ）。
（２）本願発明の構成Ａ〜Ｆ、Ｈは、本願補正発明と同じものであるので、上記第２の３（２）で対比したとおり、引用発明の構成ａ〜ｆ、ｈは、本願発明の構成Ａ〜Ｆ、Ｈに相当する。
（３）本願発明の構成Ｇ’と、引用発明の構成ｇとを対比する。
　引用発明の第１保留表示部８４が有する「４つの保留表示部８４ａ、８４ｂ、８４ｃ、８４ｄ」は、本願発明の保留表示領域に含まれる「前記所定数分の複数の保留表示領域」に相当する。そして、引用発明において、第１変動表示保留記憶部２１１の保留の個数と同じになるように保留表示部を点灯して表示することは、４つの保留表示部のそれぞれに対応する保留の有無を示していることから、４つの保留表示部における保留表示は対応するそれぞれの保留毎に行われているといえる。よって、引用発明の「変動表示保留記憶部２１１の保留の個数と同じになるように保留表示部を点灯して表示」することは、本願発明の「前記保留表示は前記記憶手段に記憶された前記判定情報ごとに行われ」ることに相当する。
　してみると、引用発明のｇは、本願発明のＧ’に相当するといえる。
（４）本願発明の構成Ｉ’と、引用発明の構成ｉとを対比する。
　引用発明の「保留の事前判定の結果に基づいて、複数回の特別図柄の変動表示にわたって連続的に行われるステップアップ連続演出」は本願発明の「前記事前判定の結果に基づき、前記図柄の複数回の変動期間に跨って行われる所定の特殊演出」に相当する。
　そして、引用発明においては保留が４つある場合にステップアップ連続演出をしており、複数の保留が記憶されているときに実行するものであり、また、「４つの保留表示を段階的な保留表示の表示態様に変化させ」ることは、２以上の保留である４つの保留に対応する保留表示を全て段階的な保留表示の表示態様に変化させることであるから、引用発明の「事前判定に当選した４つ目の保留を含む４つの保留が記憶されているときにステップアップ連続演出を行い、ステップアップ連続演出を行う際には、第１保留表示部８４の事前判定に当選した４つ目の保留を含む４つの保留表示を段階的な保留表示の表示態様に変化させ」ることは、本願発明の「複数の判定情報が記憶されているときに前記特殊演出を実行する際、前記複数の判定情報に含まれる２以上の判定情報についての前記保留表示が行われる２以上の保留表示領域内の表示の態様を、全て前記特殊表示態様とすること」に相当する。
　してみると、引用発明のｉは、本願発明のＩ’に相当するといえる。
　よって、本願発明は、引用発明であるので、特許法第２９条第１項第３号に該当し、特許を受けることができない。
　仮に、本願発明と引用発明に相違点があるとしても、本願発明は引用発明から当業者が容易に発明をすることのできたものであるので、特許法第２９条第２項の規定により特許を受けることができない。
第４　むすび　
　以上のとおりであるから、本願発明は、特許法第２９条第１項第３号、又は、特許法第２９条第２項の規定により特許を受けることができない。
　したがって、他の請求項について検討するまでもなく、本願は、拒絶されるべきものである。
　よって、結論のとおり審決する。